(57)【要約】【課題】所定年齢未満の者がプレイすることを確実に防止可能な遊技管理システムを提案すること。【解決手段】遊技管理システム１では、遊技店の入口において所定年齢以上の者に対してのみ遊技許可カード１０を発行して遊技店内に入場させるようになっている。遊技店内の台間機３での遊技媒体の借り受け時には、遊技者は、遊技許可カード１０を挿入し、指紋センサ２５によって指先の指紋画像を読み取らせる。遊技許可カード１０に記憶保持されている指紋情報と、指紋センサ２５で読み取った指紋情報を照合して本人確認を行う。確認が取れた場合にのみ遊技媒体の貸し出しを許可する。入店時および遊技時の双方において本人確認を行うことにより、所定年齢未満の者がプレイすることを確実に防止できる。【選択図】図１
2008161524.tif 000002
【特許請求の範囲】
【請求項１】
施設への入場が認められている年齢条件を満たす入場希望者に、本人確認情報が担持された許可証を発行し、
前記施設への入場時に、入場希望者が所持している前記許可証に担持されている本人確認情報を読み取り、
当該入場希望者に本人確認情報を提示させ、
前記許可証から読み取った本人確認情報と、提示された本人確認情報とを照合し、
照合が取れた場合にのみ、前記入場希望者の施設への入場を許可することを特徴とする入場管理方法。
【請求項２】
前記施設の入口において、前記許可証を所持していない前記年齢条件を満たす入場希望者に本人確認情報を提示させ、
提示された本人確認情報を担持した許可証を当該入場希望者に発行することを特徴とする請求項１に記載の入場管理方法。
【請求項３】
前記施設の出口において、当該施設の入口において発行された前記許可証を回収することを特徴とする請求項２に記載の入場管理方法。
【請求項４】
前記施設への入場希望者に、氏名、住所、年齢などを含む会員情報の登録と引換えに、当該会員の本人確認情報が担持された会員証を発行し、
当該会員証を前記許可証として用いることを特徴とする請求項１ないし３のうちのいずれかの項に記載の入場管理方法。
【請求項５】
前記本人確認情報は指紋などの生体情報であることを特徴とする請求項１ないし４のうちのいずれかの項に記載の入場管理方法。
【請求項６】
前記許可証はＩＣカードであることを特徴とする請求項１ないし５のうちのいずれかの項に記載の入場管理方法。
【請求項７】
施設への入場が認められている年齢条件を満たす入場希望者に発行された許可証に担持されている本人確認情報を読み取るための読取部と、
本人確認情報を入力するための入力部と、
前記読取部で読み取られた本人確認情報と、前記入力部を介して入力された本人確認情報とを照合する照合部と、
この照合部により照合が取れた場合にのみ、施設への入場の許可指令を出す制御部とを有していることを特徴とする入場管理装置。
【請求項８】
前記施設の入口ゲートに搭載されていることを特徴とする請求項７に記載の入場管理装置。
【請求項９】
前記本人確認情報は指紋などの生体情報であることを特徴とする請求項７または８に記載の入場管理装置。
【請求項１０】
本人確認情報が担持されている許可証と、
請求項７ないし９のうちのいずれかの項に記載の入場管理装置とを有していることを特徴とする入場管理システム。
【請求項１１】
前記施設の入口ゲートの手前に、許可証を発行するための許可証発行機が配置されており、
この許可証発行機は、
本人確認情報が担持されていないブランク許可証の収納部と、
本人確認情報を入力するための入口側入力部と、
この入口側入力部を介して入力された本人確認情報を前記収納部から供給されるブランク許可証に書き込むための書込み部とを備えていることを特徴とする請求項１０に記載の入場管理システム。
【請求項１２】
前記施設の出口には、前記許可証発行機から発行された前記許可証を回収するための許可証回収機が配置されていることを特徴とする請求項１１に記載の入場管理システム。
【請求項１３】
氏名、住所、年齢などを含む会員情報が登録された会員データベースと、
当該会員データベースに登録された会員に発行された会員証とを有し、
当該会員証には当該会員の本人確認情報が記憶保持されており、当該会員証が前記許可証として用いられることを特徴とする請求項１０ないし１２のうちのいずれかの項に記載の入場管理システム。
【請求項１４】
前記許可証はＩＣカードであることを特徴とする請求項１０ないし１３のうちのいずれかの項に記載の入場管理システム。
【請求項１５】
商品の販売あるいは貸出が許可されている年齢条件を満たす商品希望者に、本人確認情報が担持された許可証を発行し、
商品の販売あるいは貸出の際に、商品希望者が所持している許可証を提示させ、
提示された許可証に担持されている本人確認情報を読み取り、
当該商品希望者に、本人確認情報を提示させ、
読み取った本人確認情報と、提示された本人確認情報とを照合し、
照合が取れた場合にのみ、商品の販売あるいは貸出を許可することを特徴とする商品販売等の管理方法。
【請求項１６】
前記商品の販売店あるいは貸出店の入口において本人確認情報の照合を行い、
照合が取れた場合にのみ、入店を許可することを特徴とする請求項１５に記載の商品販売等の管理方法。
【請求項１７】
前記商品の販売店あるいは貸出店の入口において、前記許可証を所持していない所定の年齢以上の入店希望者に本人確認情報を入力させ、入力された本人確認情報を担持した許可証を当該入場者に発行することを特徴とする請求項１５または１６に記載の商品販売等の管理方法。
【請求項１８】
前記商品の販売店あるいは貸出店の出口において、当該販売店あるいは貸出店の入口において発行された前記許可証を回収することを特徴とする請求項１７に記載の商品販売等の管理方法。
【請求項１９】
前記商品希望者に、氏名、住所、年齢などを含む会員情報の登録と引換えに、本人確認情報が担持された会員証を発行し、
当該会員証を前記許可証として用いることを特徴とする請求項１５ないし１８のうちのいずれかの項に記載の商品販売等の管理方法。
【請求項２０】
前記本人確認情報は指紋などの生体情報であることを特徴とする請求項１５ないし１９のうちのいずれかの項に記載の商品販売等の管理方法。
【請求項２１】
前記許可証はＩＣカードであることを特徴とする請求項１５ないし２０のうちのいずれかの項に記載の商品販売等の管理方法。
【請求項２２】
商品の販売あるいは貸出が許可されている年齢条件を満たす商品希望者に発行された許可証に担持されている本人確認情報を読み取るための読取部と、
本人確認情報を入力するための入力部と、
前記読取部で読み取られた本人確認情報と前記入力部を介して入力された本人確認情報とを照合する照合部と、
この照合部により照合が取れた場合にのみ、前記商品の販売あるいは貸出の許可指令を出す制御部とを有していることを特徴とする商品販売等の管理装置。
【請求項２３】
前記商品の自動販売機あるいは前記商品の自動貸出機に搭載されていることを特徴とする請求項２２に記載の商品販売等の管理装置。
【請求項２４】
前記商品の販売店あるいは貸出店の入口ゲートに搭載されていることを特徴とする請求項２２または２３に記載の商品販売等の管理装置。
【請求項２５】
前記本人確認情報は指紋などの生体情報であることを特徴とする請求項２２ないし２４のうちのいずれかの項に記載の商品販売等の管理装置。
【請求項２６】
本人確認情報が担持された許可証と、
請求項２２ないし２５のうちのいずれかの項に記載の商品販売等の管理装置とを有していることを特徴とする商品販売等の管理システム。
【請求項２７】
前記入口ゲートの手前に設置された許可証発行機を有し、
この許可証発行機は、
本人確認情報が記憶保持されていないブランク許可証の収納部と、
本人確認情報を入力するための入口側入力部と、
この入口側入力部を介して入力された本人確認情報を前記収納部から供給されるブランク許可証に書き込むための書込み部と、
本人確認情報が書き込まれた許可証を発行する発行部と、
を備えていることを特徴とする請求項２６に記載の商品販売等の管理システム。
【請求項２８】
前記商品の販売店あるいは貸出店の出口には、前記許可証発行機から発行された前記許可証を回収するための許可証回収機が配置されていることを特徴とする請求項２７に記載の商品販売等の管理システム。
【請求項２９】
氏名、住所、年齢などを含む会員情報が登録された会員データベースと、
当該会員データベースに登録された会員に発行された会員証とを有し、
当該会員証には当該会員の本人確認情報が記憶保持されており、当該会員証が前記許可証として用いられることを特徴とする請求項２６ないし２８のうちのいずれかの項に記載の商品販売等の管理システム。
【請求項３０】
前記許可証はＩＣカードであることを特徴とする請求項２６ないし２９のうちのいずれかの項に記載の商品販売等の管理システム。
【請求項３１】
施設の入場、または、商品の購入あるいは貸出を希望する希望者に、本人確認情報および年齢情報が担持された許可証を発行し、
施設への入場、または、商品の販売あるいは貸出の際に、希望者が所持している許可証を提示させ、
提示された許可証に担持されている本人確認情報および年齢情報を読み取り、
当該希望者に、本人確認情報を提示させ、
読み取った本人確認情報と、提示された本人確認情報とを照合する本人確認を行い、
本人確認が出来なかった場合には、施設への入場、または、商品の販売あるいは貸出を許可せず、
本人確認が出来た場合には、施設の入場、または、希望する商品についての年齢条件の有無を確認し、
年齢条件が付いていない場合には、施設の入場、または、商品の販売あるいは貸出を許可し、
年齢制御条件が付いている場合には、読み取った年齢情報が当該年齢条件を満たしているか否かの年齢確認を行い、
前記年齢条件を満たしている場合にのみ、当該施設への入場、または、当該商品の販売あるいは貸出を許可することを特徴とする入場・商品販売等の管理方法。
【請求項３２】
前記施設の入口、または、前記商品の販売店あるいは貸出店の入口において、本人確認および年齢確認を行うことを特徴とする請求項３１に記載の入場・商品販売等の管理方法。
【請求項３３】
前記施設の入口、または、前記商品の販売店あるいは貸出店の入口において、前記許可証を所持していない入場あるいは商品の希望者に本人確認情報および年齢を入力させ、入力された本人確認情報および年齢を担持した許可証を当該希望者に発行することを特徴とする請求項３１または３２に記載の入場・商品販売等の管理方法。
【請求項３４】
前記施設の出口、または、前記商品の販売店あるいは貸出店の出口において、前記入口において発行された前記許可証を回収することを特徴とする請求項３３に記載の入場・商品販売等の管理方法。
【請求項３５】
前記希望者に、氏名、住所、年齢などを含む会員情報の登録と引換えに、本人確認情報および年齢情報が担持された会員証を発行し、
当該会員証を前記許可証として用いることを特徴とする請求項３１ないし３４のうちのいずれかの項に記載の入場・商品販売等の管理方法。
【請求項３６】
前記本人確認情報は指紋などの生体情報であることを特徴とする請求項３０ないし３４のうちのいずれかの項に記載の入場・商品販売等の管理方法。
【請求項３７】
前記許可証はＩＣカードであることを特徴とする請求項３１ないし３６のうちのいずれかの項に記載の入場・商品販売等の管理方法。
【請求項３８】
施設の入場、または、商品の購入あるいは貸出を希望する希望者に発行された許可証に担持されている本人確認情報および年齢情報を読み取るための読取部と、
本人確認情報を入力するための本人確認情報入力部と、
前記読取部で読み取られた本人確認情報と前記本人確認情報入力部を介して入力された本人確認情報とを照合して本人確認を行う本人照合部と、
前記施設の入場、または、前記商品の販売あるいは貸出に年齢条件が付いている場合に、前記読取部で読み取られた年齢情報が前記年齢条件を満たしているか否かを確認する年齢照合部と、
前記年齢条件が付いていない場合には、前記本人照合が取れた場合にのみ、前記施設への入場、または、前記商品の販売あるいは貸出の許可指令を出し、前記年齢条件が付いている場合には、前記本人照合および前記年齢照合の双方が取れた場合にのみ、前記施設への入場、または、前記商品の販売あるいは貸出の許可指令を出す制御部とを有していることを特徴とする入場・商品販売等の管理装置。
【請求項３９】
前記施設の入口ゲート、または、前記商品の自動販売機あるいは自動貸出機に搭載されていることを特徴とする請求項３８に記載の入場・商品販売等の管理装置。
【請求項４０】
前記本人確認情報は指紋などの生体情報であることを特徴とする請求項３８または３９に記載の入場・商品販売等の管理装置。
【請求項４１】
本人確認情報および年齢情報が担持されている許可証と、
請求項３８ないし４０のうちのいずれかの項に記載の入場・商品販売等の管理装置とを有していることを特徴とする入場・商品販売等の管理システム。
【請求項４２】
前記施設の入口の手前、または、前記商品の販売店あるいは貸出店の入口の手前に設置された許可証発行機を有し、
この許可証発行機は、
情報が担持されていないブランク許可証の収納部と、
本人確認情報および年齢情報を入力するための入力部と、
この入力部を介して入力された本人確認情報および年齢情報を前記収納部から供給されるブランク許可証に書き込むための書込み部と、
本人確認情報および年齢情報が書き込まれた許可証を発行する発行部とを備えていることを特徴とする請求項４０に記載の入場・商品販売等の管理システム。
【請求項４３】
前記施設の出口、または、前記商品の販売店あるいは貸出店の出口には、前記許可証発行機から発行された前記許可証を回収するための許可証回収機が配置されていることを特徴とする請求項４２に記載の入場・商品販売等の管理システム。
【請求項４４】
氏名、住所、年齢などを含む会員情報が登録された会員データベースと、
当該会員データベースに登録された会員に発行された会員証とを有し、
当該会員証には当該会員の本人確認情報および年齢情報が担持されており、当該会員証が前記許可証として用いられることを特徴とする請求項４１ないし４３のうちのいずれかの項に記載の入場・商品販売等の管理システム。
【請求項４５】
前記許可証はＩＣカードであることを特徴とする請求項４１ないし４４のうちのいずれかの項に記載の入場・商品販売等の管理システム。
【請求項４６】
遊技機器での遊技が認められる所定の年齢以上の人に、本人確認情報が担持された許可証を発行し、
当該許可証に担持されている前記本人確認情報を、前記遊技機器、および／または、当該遊技機器で遊技するために用いる遊技媒体の貸し出しを行う遊技媒体貸出機に読み込ませ、
遊技者に、本人確認情報を前記遊技機器、および／または、遊技媒体貸出機に入力させ、
前記許可証から読み込まれた本人確認情報と、遊技者が入力した本人確認情報とを照合し、
照合がとれた場合にのみ、前記遊技機器での遊技、および／または、前記遊技媒体貸出機による遊技媒体の貸し出しを許可することを特徴とする遊技管理方法。
【請求項４７】
前記遊技機器が設置されている遊技施設の入口において、当該遊技施設への入場希望者に対して前記本人確認情報の照合を行うことを特徴とする請求項４６に記載の遊技管理方法。
【請求項４８】
前記遊技施設の入口において、前記許可証を所持していない所定の年齢以上の入場希望者に本人確認情報を入力させ、
入力された本人確認情報を担持した前記許可証を当該入場希望者に発行することを特徴とする請求項４６または４７に記載の遊技管理方法。
【請求項４９】
前記遊技施設の出口において、前記遊技施設の入口において発行された前記許可証を回収することを特徴とする請求項４８に記載の遊技管理方法。
【請求項５０】
前記遊技機器での遊技希望者に、氏名、住所、年齢などを含む会員情報の登録と引換えに、本人確認情報が担持された会員証を発行し、
当該会員証を前記許可証として用いることを特徴とする請求項４６ないし４９のうちのいずれかの項に記載の遊技管理方法。
【請求項５１】
前記本人確認情報は指紋などの生体情報であることを特徴とする請求項４６ないし５０のうちのいずれかの項に記載の遊技管理方法。
【請求項５２】
前記許可証はＩＣカードであることを特徴とする請求項４６ないし５１のうちのいずれかの項に記載の遊技管理方法。
【請求項５３】
遊技機器での遊技が認められる所定の年齢以上の人に発行された許可証に担持されている本人確認情報を読み取るための読取部と、
本人確認情報を入力するための入力部と、
前記読取部で読み取られた本人確認情報と前記入力部を介して入力された本人確認情報とを照合する照合部と、
この照合部により照合がとれた場合にのみ、前記遊技機器での遊技、および／または、当該遊技機器で遊技するために用いる遊技媒体の貸し出しを行う遊技媒体貸出機による貸し出し動作を許可する動作制御部とを有していることを特徴とする遊技管理装置。
【請求項５４】
前記読取部、前記入力部、前記照合部、および前記動作制御部のうち、少なくとも、前記読取部および前記入力部は、前記遊技機器、および／または、前記遊技媒体貸出機のそれぞれに搭載されていることを特徴とする請求項５３に記載の遊技管理装置。
【請求項５５】
前記本人確認情報は遊技者の指紋などの生体情報であり、
前記入力部は指紋センサなどの生体情報センサであることを特徴とする請求項５３または５４に記載の遊技管理装置。
【請求項５６】
本人確認情報が担持されている許可証と、
請求項５３ないし５５のうちのいずれかの項に記載の遊技管理装置とを有していることを特徴とする遊技管理システム。
【請求項５７】
前記遊技機器が設置されている遊技施設の入口を開閉可能な入口ゲートと、
この入口ゲートの開閉を制御する入口ゲート開閉制御ユニットとを有し、
この入口ゲート開閉制御ユニットは、
前記許可証に担持されている本人確認情報を読み取るための入口側読取部と、
本人確認情報を入力するための入口側入力部と、
前記入口側読取部で読み取られた本人確認情報と前記入口側入力部を介して入力された本人確認情報とを照合する入口側照合部とを備え、
この入口側照合部により照合がとれた場合にのみ前記入口ゲートを開けることを特徴とする請求項５６に記載の遊技管理システム。
【請求項５８】
前記入口ゲートの手前に、許可証を発行するための許可証発行機が配置されており、
この許可証発行機は、
本人確認情報が記憶保持されていない許可証の収納部と、
本人確認情報を入力するための発行側入力部と、
この発行側入力部を介して入力された本人確認情報を前記収納部から供給される許可証に書き込むための書込み部とを備えていることを特徴とする請求項５７に記載の遊技管理システム。
【請求項５９】
前記遊技施設の出口に、前記許可証発行機から発行された前記許可証を回収するための許可証回収機を有していることを特徴とする請求項５８に記載の管理遊技システム。
【請求項６０】
氏名、住所、年齢などを含む会員情報が登録された会員データベースと、
当該会員データベースに登録された会員に発行された会員証とを有し、
当該会員証には当該会員の本人確認情報が記憶保持されており、当該会員証が前記許可証として用いられることを特徴とする請求項５６ないし５９のうちのいずれかの項に記載の遊技管理システム。
【請求項６１】
前記遊技許証はＩＣカードであることを特徴とする請求項５６ないし６０のうちのいずれかの項に記載の遊技管理システム。
【発明の詳細な説明】
【技術分野】
【０００１】
本発明は、アルコール飲料などを提供するバーやスナック、風俗店などのように年齢制限が課せられている施設への入場希望者の入場を管理するのに適した入場管理方法、入場管理装置および入場管理システムに関する。また、本発明は、酒類、アダルトビデオなどのように、購入、貸出に年齢制限が課せられている商品の販売および貸出を管理するのに適した商品販売等の管理方法、管理装置および管理システムに関する。特に、本発明は、パチンコ店などの遊技施設において遊技が許可されている年齢の人のみが遊技できるように遊技機器の利用を制限するのに適した遊技管理方法、遊技管理装置および遊技管理システムに関する。
【背景技術】
【０００２】
入場あるいはプレイに年齢制限が課せられているパチンコ店などの遊技店では、遊技者に会員登録してもらい、会員ＩＤが記録されたＩＣカードなどからなる会員カードを発行し、会員カードを用いて遊技媒体の貸し出し処理を行う会員カードシステムが採用されている。会員が遊技台でプレイする場合には、隣接配置されている台間機に会員カードを挿入することによって当該台間機から遊技媒体を借り受けることができる。このような会員カードシステムは特許文献１に開示されている。
【特許文献１】特開２００２−１６６０３５号公報
【発明の開示】
【発明が解決しようとする課題】
【０００３】
ここで、パチンコ店などの遊技施設でのプレイは、現行法では１８才以上の人のみが許可されている。所定年齢未満の人のプレイを禁止し、許可された年齢の人のみがプレイできるようにするためには、所定年齢に満たない人に対して会員カードを発行しないようにすればよい。
【０００４】
しかしながら、遊技者人口としては、特定の遊技施設の会員となっていない一般遊技者（非会員）が大多数であり、このような一般遊技者については所定年齢未満の人のプレイを制限できていないのが現状である。また、会員が会員カードを所定年齢未満の人に貸してしまった場合にも、そのような場合のプレイを制限することができていないのが現状である。このため、従来においては所定年齢未満の人が遊技施設においてプレイすることを防止するための有効な対策が施されて無い。
【０００５】
このような状況は、入店あるいは入場に年齢制限が課せられている他の施設、例えば、アルコール飲料など提供するバーやスナック、または風俗店などにおいても同様である。
【０００６】
また、酒類、アダルトビデオなどにように、商品の販売、貸出などにおいても年齢制限が課せられている場合がある。このような商品の販売、貸出においても年齢制限を満足しない未成年者などへの販売、貸出を防止するための有効な対策が施されてないのが現状である。
【０００７】
本発明の課題は、このような点に鑑みて、年齢制限が課せられている施設への入場を管理するのに適した入場管理方法、入場管理装置および入場管理システムを提案することにある。
【０００８】
また、本発明の課題は、販売、貸出に年齢制限が課せられている商品についての販売および貸出を管理するのに適した商品販売等の管理方法、管理装置および管理システムを提案することにある。
【０００９】
さらに、本発明の課題は、パチンコ店などの遊技施設において遊技が許可されている年齢の人のみが遊技できるように遊技機器の利用を制限するのに適した遊技管理方法、遊技管理装置および遊技管理システムを提案することにある。
【課題を解決するための手段】
【００１０】
上記の課題を解決するために、本発明の入場管理方法は、
施設への入場が認められている年齢条件を満たす入場希望者に、本人確認情報が担持された許可証を発行し、
施設への入場時に、入場希望者が所持している許可証に担持されている本人確認情報を読み取り、
当該入場希望者に本人確認情報を提示させ、
許可証から読み取った本人確認情報と、提示された本人確認情報とを照合し、
照合が取れた場合にのみ、入場希望者の施設への入場を許可することを特徴としている。
【００１１】
ここで、事前に許可証を所持していない入場希望者に対しては、施設の入口において、許可証を発行すればよい。
【００１２】
また、入口において発行された許可証を、施設から退場する際に回収すればよい。
【００１３】
さらに、定期的に施設を利用する利用者については、氏名、住所、年齢などを含む会員情報の登録と引換えに、当該会員の本人確認情報が担持された会員証を発行し、当該会員証を許可証として用いるようにすればよい。
【００１４】
本人確認情報としては生体情報を用いることが望ましい。生体情報を用いた認証方法としては、指紋認証方式、目の網膜における毛細血管のパターンを認識する網膜認証方式、虹彩パターンの濃淡値のヒストグラムを用いる虹彩認証方式、眼鏡や顔の表情などによって認識する顔認証方式、近赤外光を手のひら、手の甲、指に透過させて得られる静脈パターンを用いる血管認証方式、声紋を利用した音声認証方式、筆跡を認証する筆跡認証方式等を挙げることができる。
【００１５】
また、許可証としてはＩＣカードを用いることができる。
【００１６】
次に、本発明の入場管理装置は、
施設への入場が認められている年齢条件を満たす入場希望者に発行された許可証に担持されている本人確認情報を読み取るための読取部と、
本人確認情報を入力するための入力部と、
読取部で読み取られた本人確認情報と、入力部を介して入力された本人確認情報とを照合する照合部と、
この照合部により照合が取れた場合にのみ、施設への入場の許可指令を出す制御部とを有していることを特徴としている。
【００１７】
本発明の入場管理装置は、入場制限を課している施設の入口ゲートに搭載しておけば、入場管理装置によって許可された入場希望者のみを入場させることができる。
【００１８】
次に、本発明の入場管理システムは、本人確認情報が担持されている許可証と、上記構成の入場管理装置とを有していることを特徴としている。
【００１９】
ここで、施設の入口ゲートの手前に許可証を発行するための許可証発行機を配置しておき、この許可証発行機を、本人確認情報が担持されていないブランク許可証の収納部と、本人確認情報を入力するための入口側入力部と、この入口側入力部を介して入力された本人確認情報を前記収納部から供給されるブランク許可証に書き込むための書込み部とを備えた構成とすることができる。このようにすれば、年齢条件を満たす一般入場者を施設に入場させることができる。
【００２０】
また、この場合には、発行した許可証を施設から退場する際に回収できるようにするために、施設の出口に許可証発行機から発行された許可証を回収するための許可証回収機を配置しておくことができる。
【００２１】
さらに、定期的に施設を利用する利用者を会員として登録して会員証を発行する会員システムを採用し、施設利用回数などに応じてポイントなどを加算し、あるいは、イベント情報などを知らせるなどのサービスを提供して会員を募集する場合がある。このような会員システムを採用する場合には、入場管理システムに、氏名、住所、年齢などを含む会員情報が登録された会員データベースと、当該会員データベースに登録された会員に発行された会員証とを追加し、当該会員証に当該会員の本人確認情報を担持させることにより、当該会員証を許可証として用いることができるようにすればよい。
【００２２】
次に、本発明の商品販売等の管理方法は、
商品の販売あるいは貸出が許可されている年齢条件を満たす商品希望者に、本人確認情報が担持された許可証を発行し、
商品の販売あるいは貸出の際に、商品希望者が所持している許可証を提示させ、
提示された許可証に担持されている本人確認情報を読み取り、
当該商品希望者に、本人確認情報を提示させ、
読み取った本人確認情報と、提示された本人確認情報とを照合し、
照合が取れた場合にのみ、商品の販売あるいは貸出を許可することを特徴としている。
【００２３】
ここで、商品の販売店あるいは貸出店の入口において本人確認情報の照合を行い、照合が取れた場合にのみ、入店を許可するようにすることができる。
【００２４】
また、商品の販売店あるいは貸出店の入口において、許可証を所持していない所定の年齢以上の入店希望者に本人確認情報を入力させ、入力された本人確認情報を担持した許可カードを当該入場者に発行するようにしてもよい。
【００２５】
この場合には、商品の販売店あるいは貸出店の出口において、当該販売店あるいは貸出店の入口において発行された許可証を回収するようにしてもよい。
【００２６】
さらに、会員システムを採用する場合には、商品希望者に、氏名、住所、年齢などを含む会員情報の登録と引換えに、本人確認情報が担持された会員証を発行し、当該会員証を前記許可証として用いるようにすればよい。
【００２７】
次に、本発明の商品販売等の管理装置は、
商品の販売あるいは貸出が許可されている年齢条件を満たす商品希望者に発行された許可証に担持されている本人確認情報を読み取るための読取部と、
本人確認情報を入力するための入力部と、
読取部で読み取られた本人確認情報と入力部を介して入力された本人確認情報とを照合する照合部と、
この照合部により照合が取れた場合にのみ、商品の販売あるいは貸出の許可指令を出す制御部とを有していることを特徴としている。
【００２８】
ここで、本発明による管理装置を、商品の自動販売機あるいは商品の自動貸出機に搭載しておけば、年齢条件を満たす人に対してのみ、年齢制限が課された商品を販売あるいは貸し出すことができる。
【００２９】
また、本発明による管理装置を、商品の販売店あるいは貸出店の入口ゲートに搭載しておけば、年齢条件を満たす人のみを入店させることができる。
【００３０】
次に、本発明の商品販売等の管理システムは、本人確認情報が担持された許可証と、上記構成の管理装置とを有していることを特徴としている。
【００３１】
ここで、入口ゲートの手前に許可証発行機を配置し、この許可証発行機を、本人確認情報が記憶保持されていないブランク許可証の収納部と、本人確認情報を入力するための入口側入力部と、この入口側入力部を介して入力された本人確認情報を前記収納部から供給されるブランク許可証に書き込むための書込み部と、本人確認情報が書き込まれた許可証を発行する発行部とを備えた構成とすることができる。
【００３２】
また、商品の販売店あるいは貸出店の出口に、許可証発行機から発行された許可証を回収するための許可証回収機を配置しておくこともできる。
【００３３】
さらに、会員システムを採用するために、氏名、住所、年齢などを含む会員情報が登録された会員データベースと、当該会員データベースに登録された会員に発行された会員証とを有し、当該会員証に当該会員の本人確認情報を担持させて当該会員証を許可証として用いることができるようにすればよい。
【００３４】
一方、本発明は、入場、商品販売などに年齢制限が課されている場合と、そのような年齢制限が課されていない場合の双方の適用可能な入場・商品販売等の管理方法に関するものである。本発明の入場・商品販売等の管理方法は、
施設の入場、または、商品の購入あるいは貸出を希望する希望者に、本人確認情報および年齢情報が担持された許可証を発行し、
施設への入場、または、商品の販売あるいは貸出の際に、希望者が所持している許可証を提示させ、
提示された許可証に担持されている本人確認情報および年齢情報を読み取り、
当該希望者に、本人確認情報を提示させ、
読み取った本人確認情報と、提示された本人確認情報とを照合する本人確認を行い、
本人確認が出来なかった場合には、施設への入場、または、商品の販売あるいは貸出を許可せず、
本人確認が出来た場合には、施設の入場、または、希望する商品についての年齢条件の有無を確認し、
年齢条件が付いていない場合には、施設の入場、または、商品の販売あるいは貸出を許可し、
年齢条件が付いている場合には、読み取った年齢情報が当該年齢条件を満たしているか否かの年齢確認を行い、
年齢条件を満たしている場合にのみ、当該施設への入場、または、当該商品の販売あるいは貸出を許可することを特徴としている。
【００３５】
本発明では、施設の入場、または、商品の販売あるいは貸出の際に、本人確認と年齢確認とを行うようにしている。したがって、年齢制限が課せられている施設の入場、または商品の販売あるいは貸出を、年齢条件を満足する人に対してのみ許可することができる。また、年齢制限が課せられていない施設の入場時、または、商品の販売あるいは貸出時には本人確認を行っているので、本人になりすまして許可証を悪用することを確実に防止できる。
【００３６】
ここで、一般的には、施設の入口、または、商品の販売店あるいは貸出店の入口において、本人確認および年齢確認を行うようにすればよい。
【００３７】
また、施設の入口、または、商品の販売店あるいは貸出店の入口において、許可証を所持していない入場あるいは商品の希望者に対しては、本人確認情報および年齢を入力させ、入力された本人確認情報および年齢を担持した許可証を当該希望者に発行することが望ましい。事前に許可証を入手していない一般利用者にとって便利である。
【００３８】
この場合には、施設の出口、または、商品の販売店あるいは貸出店の出口において、入口において発行された許可証を回収するようにしてもよい。
【００３９】
また、この場合に、希望者に、氏名、住所、年齢などを含む会員情報の登録と引換えに、本人確認情報および年齢情報が担持された会員証を発行し、当該会員証を許可証として用いることができるようにしてもよい。
【００４０】
次に、本発明の入場・商品販売等の管理装置は、
施設の入場、または、商品の購入あるいは貸出を希望する希望者に発行された許可証に担持されている本人確認情報および年齢情報を読み取るための読取部と、
本人確認情報を入力するための入力部と、
読取部で読み取られた本人確認情報と入力部を介して入力された本人確認情報とを照合して本人確認を行う本人照合部と、
施設の入場、または、商品の販売あるいは貸出に年齢条件が付いている場合に、読取部で読み取られた年齢情報が年齢条件を満たしているか否かを確認する年齢照合部と、
年齢条件が付いていない場合には、本人照合が取れた場合にのみ、施設への入場、または、商品の販売あるいは貸出の許可指令を出し、年齢条件が付いている場合には、本人照合および年齢照合の双方が取れた場合にのみ、施設への入場、または、商品の販売あるいは貸出の許可指令を出す制御部とを有していることを特徴としている。
【００４１】
ここで、管理装置を、施設の入口ゲート、または、商品の自動販売機あるいは自動貸出機に搭載しておくことができる。
【００４２】
次に、本発明の入場・商品販売等の管理システムは、
本人確認情報および年齢情報が担持されている許可証と、上記構成の入場・商品販売等の管理装置とを有していることを特徴としている。
【００４３】
ここで、施設の入口の手前、または、商品の販売店あるいは貸出店の入口の手前に許可証発行機を配置し、この許可証発行機を、情報が担持されていないブランク許可証の収納部と、本人確認情報および年齢情報を入力するための入力部と、この入力部を介して入力された本人確認情報および年齢情報を前記収納部から供給されるブランク許可証に書き込むための書込み部と、本人確認情報および年齢情報が書き込まれた許可証を発行する発行部とを備えた構成とすることができる。
【００４４】
また、施設の出口、または、商品の販売店あるいは貸出店の出口に、許可証発行機から発行された許可証を回収するための許可証回収機を配置してもよい。
【００４５】
さらに、氏名、住所、年齢などを含む会員情報が登録された会員データベースと、当該会員データベースに登録された会員に発行された会員証とを有し、当該会員証に当該会員の本人確認情報および年齢情報を担持して、当該会員証を許可証として使用できるようにしてもよい。
【００４６】
一方、本発明の遊技管理方法は、
遊技機器での遊技が認められる年齢条件を満たす人に、本人確認情報が担持された許可証を発行し、
当該許可証に担持されている本人確認情報を、遊技機器、および／または、当該遊技機器で遊技するために用いる遊技媒体の貸し出しを行う遊技媒体貸出機に読み込ませ、
遊技者に、本人確認情報を遊技機器、および／または、遊技媒体貸し出し機に入力させ、
許可証から読み込まれた本人確認情報と、遊技者が入力した本人確認情報とを照合し、
照合がとれた場合にのみ、遊技機器での遊技、および／または、遊技媒体貸し出し機による遊技媒体の貸し出しを許可することを特徴としている。
【００４７】
本発明の遊技管理方法では、遊技者は、年齢条件を満足する人、例えば現行法では１８才以上の人に本人確認情報が担持された許可証が発行される。遊技を行う際には、例えば各遊技媒体貸出機において、本人確認情報を入力し、本人確認を行った後に遊技媒体を借り受けることができる。各遊技媒体貸出機あるいは各遊技機器において本人確認を行うので、許可証が発行された遊技者、すなわち、所定年齢以上の人に対してのみ遊技を許可することができる。
【００４８】
ここで、遊技が許可されていない人であっても、許可証を所持している人と一緒に遊技施設に入場すれば、遊技を許可されている者が遊技可能にした遊技機器において本人に代わって遊技を行うことが可能である。このような同伴者による遊技を制限するためには、遊技施設への入場を遊技が許可されている人のみに制限すればよい。
【００４９】
このためには、遊技機器が設置されている遊技施設の入口において、当該遊技施設の入場者が所持している許可証に担持されている本人確認情報を読み取り、当該入場者に本人確認情報を入力させ、これらの本人確認情報を照合し、照合がとれた場合にのみ、前記遊技施設への入場を許可すればよい。
【００５０】
また、許可証の発行は遊技施設の入口において行えば良い。すなわち、遊技施設の入口において、許可証を所持していない年齢条件を満たす入場者に本人確認情報を入力させ、入力された本人確認情報を担持した許可証を当該入場者に発行すればよい。
【００５１】
さらに、遊技施設の出口において、遊技施設の入口において発行された許可証を回収することが望ましい。例えば、本人確認情報として生体情報などを担持（記憶保持）させる場合には、ＩＣカードを許可証として用いることができる。ＩＣカードは磁気カードなどに比べて記憶容量が格段に大きいものの高価であるので、使い捨てとせずに回収して再利用することが望ましい。また、許可証を当日限りのものとすることがセキュリティ上の観点から望ましい。
【００５２】
ここで、パチンコ店などの遊技施設では、遊技機器での遊技希望者に、氏名、住所、年齢などを含む会員情報の登録と引換えに会員証を発行し、会員証を用いて遊技を行うことのできる会員システムを採用しているのが一般的である。したがって、各会員の本人確認情報を前記会員証に担持させ、当該会員証を許可証として用いればよい。
【００５３】
次に、本発明の遊技管理装置は、遊技機器での遊技が認められる年齢条件を満たす人に発行された許可証に担持されている本人確認情報を読み取るための読取部と、本人確認情報を入力するための入力部と、前記読取部で読み取られた本人確認情報と前記入力部を介して入力された本人確認情報とを照合する照合部と、この照合部により照合がとれた場合にのみ、前記遊技機器での遊技、および／または、当該遊技機器で遊技するために用いる遊技媒体の貸し出しを行う遊技媒体貸出機による貸し出し動作を許可する動作制御部とを有していることを特徴としている。
【００５４】
ここで、読取部、入力部、照合部、および動作制御部のうち、少なくとも、読取部および入力部を、遊技機器、および／または、遊技媒体貸出機のそれぞれに搭載しておけばよい。
【００５５】
また、本人確認情報が遊技者の指紋などの生体情報の場合には、入力部を指紋センサなどの生体情報センサとすればよい。
【００５６】
次に、本発明の遊技管理システムは、本人確認情報が担持されている許可証と、上記構成の遊技管理装置とを有していることを特徴としている。
【００５７】
ここで、本発明の遊技管理システムは、さらに、遊技機器が設置されている遊技施設の入口に設置されている開閉可能な入口ゲートと、この入口ゲートの開閉を制御する入口ゲート開閉制御ユニットとを有し、この入口ゲート開閉制御ユニットは、許可証に担持されている本人確認情報を読み取るための入口側読取部と、本人確認情報を入力するための入口側入力部と、入口側読取部で読み取られた本人確認情報と入口側入力部を介して入力された本人確認情報とを照合する入口側照合部とを備え、この入口側照合部により照合がとれた場合にのみ入口ゲートを開けることを特徴としている。
【００５８】
この場合、入口ゲートの手前に、許可証を発行するための許可証発行機を配置し、この許可証発行機を、本人確認情報が記憶保持されていないブランク許可証の収納部と、本人確認情報を入力するための発行側入力部と、この発行側入力部を介して入力された本人確認情報を収納部から供給されるブランク許可証に書き込むための書込み部とを備えた構成とすることができる。
【００５９】
これに加えて、遊技施設の出口に、許可証発行機から発行された許可証を回収するための許可証回収機を配置することができる。
【発明の効果】
【００６０】
本発明の入場管理方法、入場管理装置および入場管理システムでは、年齢制限が課せられている施設への入場の許否を、入場希望者が所持している許可証に担持されている生体情報などの本人確認情報と、入場者に提示させた本人確認情報とを照合することにより判断している。したがって、許可証が発行された人のみを入場させ、年齢条件を満たさない人の入場を確実に防止できる。また、許可証の悪用も確実に防止できる。
【００６１】
また、本発明の商品販売等の管理方法、管理装置および管理システムにおいても、販売あるいは貸出に年齢制限が課せられている商品について、商品希望者が所持している許可証に担持されている生体情報などの本人確認情報と、商品希望者に提示させた本人確認情報とを照合することにより本人確認を行って、販売あるいは貸出の許否を判断している。したがって、許可証が発行された人のみに商品を販売あるいは貸し出すことができ、年齢条件を満たさない人に対する商品の販売あるいは貸出を確実に防止でき、許可証の悪用も確実に防止できる。
【００６２】
さらに、本発明の入場・商品販売等の管理方法、管理装置および管理システムでは、入場制限が課せられている施設、そのような制限が課せられてない施設の入場のための共通に使用可能な許可証を用いるようにしている。また、販売あるいは貸出に年齢制限が課せられている商品、そのような制限が課せられてない商品の販売あるいは貸出のための共通に使用可能な許可証を用いるようにしている。したがって、年齢制限を課せられている施設への入場、または、年齢制限が課せられている商品の販売あるいは貸出に際しては、許可証に担持されている本人確認情報および年齢情報に基づき、年齢条件を満足する人に対してのみ入場あるいは商品の販売、貸出を行うことができる。また、そのような年齢制限が課せられている施設への入場、商品の販売あるいは貸出に際しては、本人確認情報に基づき本人確認を行うことにより、許可証が他人によって悪用されるなどの弊害を確実に防止できる。
【００６３】
一方、本発明の遊技管理方法、遊技管理装置および遊技管理システムにおいては、遊技者には、年齢条件を満たす人、例えば１８才以上であることを条件として本人確認情報が担持された許可証が発行される。遊技を行う際には、許可証と、本人確認情報の提示が要求される。各遊技媒体貸出機あるいは各遊技機器において本人確認を行うので、許可証が発行された遊技者、すなわち、所定年齢以上の人に対してのみ遊技を許可することができる。また、遊技施設の入口においても、同様に、許可証と本人確認情報の提示によって本人確認を行うことにより、遊技が許可されている者のみを遊技施設に入場させることができ、遊技が許可されていない同伴者が遊技を行うことを確実に防止できる。したがって、本発明によれば、所定年齢未満の者が遊技をすることを防止可能なシステムを実現することができる。
【発明を実施するための最良の形態】
【００６４】
以下に、図面を参照して、本発明を適用した遊技管理システムの実施の形態を説明する。
【００６５】
図１は本実施の形態に係る遊技管理システムの全体構成図である。遊技管理システム１は、各遊技台２と、各遊技台２に対して遊技媒体の貸し出し処理を行う各台間機３と、カード回収・精算機４と、カード発行機５と、これらを集中管理するための管理装置６と、各種の情報が登録されているデータベース７とを有している。遊技台２および台間機３は交互に所定台数配列されて遊技島８を構成している。遊技店内には一般に複数列の遊技島８が配置されている。また、カード発行機５はＩＣカードからなる遊技許可カード１０を発行するためのものであり、遊技店の入口ゲート１１の外側に配置されている。入口ゲート１１の開閉動作は制御ユニット１２によって制御されるようになっている。カード回収・精算機４は、遊技店の出口ゲート１３の内側に配置されており、遊技許可カード１０の回収および残金の精算処理を行う。
【００６６】
各遊技島８の遊技台２および台間機３はＬＡＮなどの通信回線１４および島中継器１５を介して、管理装置６に接続されている。カード回収・精算機４およびカード発行機５も同様に通信回線１４を介して管理装置６に接続されている。各遊技台２および各台間機３にはそれぞれ機器識別番号が予め付与されており、管理装置６では機器識別番号に基づき、各遊技台２、各台間機３との間で通信を行い、各種の制御動作を行う。
【００６７】
本例の遊技管理システム１では、予め会員登録した遊技者（会員）に対しては会員ＩＤを付与すると共にＩＣカードからなる会員カード１６（会員証）を発行し、会員情報をデータベース７に登録して管理する。会員となった遊技者は、会員カード１６を用いて各台間機３において遊技媒体を借り受け、隣接する遊技台２においてプレイすることができる。
【００６８】
会員情報には、会員の住所、氏名、生年月日などの個人情報と共に、会員ＩＤとしての生体情報が含まれており、所定年齢以上の者のみが入会資格がある。発行される会員カード１６には、プレイ時に本人確認情報として用いる生体情報が会員ＩＤとして記憶保持されている。本例では生体情報として指紋情報を採用している。生体情報としては顔画像、虹彩情報などの生体情報であってもよいことは勿論である。生体情報の代わりに英数字などからなる会員ＩＤを用いることも可能である。
【００６９】
これに対して、会員登録していない一般遊技者（非会員）には、カード発行機５において指紋情報を読み取らせてもらい、これを本人確認情報として記憶保持したＩＣカードからなる遊技許可カード１０（許可証）を発行する。カード発行機５は、ブランクＩＣカードの収納部５１と、指紋情報を入力するための入力部として機能する指紋センサ５２と、この指紋センサ５２によって読み取られた指紋情報をブランクＩＣカードに書き込むためのカードリーダ５３とを備えている。
【００７０】
遊技許可カード１０の発行時には、運転免許証などの身分証明書の提示を求め、所定年齢、例えば１８才未満の者に対する遊技許可カードの発行を禁止する。年齢確認は店員などが行っても良いが、例えば、カード発行機５にスキャナを搭載しておき、身分証明書をスキャナで読み取って、通信回線１４を介して管理装置６に送信し、当該管理装置６が設置されている遊技店の管理室において、そこに常駐の管理者が画面上において読み取り画像を確認して、カード発行の許否を判断するようにしてもよい。
【００７１】
また、入口ゲート１１の開閉動作を制御する制御ユニット１２は、カード挿入部１２１と、ここから挿入された会員カード１６あるいは遊技許可カード１０に記憶保持されている指紋情報を読み取るためのカードリーダ１２２と、指紋情報を入力するための入力部として機能する指紋センサ１２３と、カードリーダ１２２で読み取られた指紋情報と指紋センサ１２３で読み取られた指紋情報を照合する照合部１２４とを備えており、この照合部１２４において照合がとれた場合にのみ入口ゲート１１を開けるようになっている。
【００７２】
会員は会員カード１６を用いて各遊技台２においてプレイすることができ、非会員（一般遊技者）は、遊技許可カード１０を用いて各遊技台２においてプレイすることができる。プレイに際しては、各台間機３において指紋認証による本人確認を行って、隣接する遊技台２におけるプレイが許可されるようになっている。
【００７３】
指紋認証（指紋照合）による本人確認を行ってプレイを許可するために、各台間機３の前面には、表示部２１ａおよび入力部２１ｂを備えた操作面２１、紙幣挿入口２２、カード挿入口２３、および状態表示ランプ２４が配置されていると共に、指紋センサ２５の指載置面２５ａが配置されている。カード挿入口２３に会員カード１６あるいは遊技許可カード１０を挿入すると、表示部２１ａには、指載置面２５ａに指先を載せることを要求するメッセージが表示され、遊技者が指先を載せると指紋センサ２５によって指紋が読み取られる。
【００７４】
この後は、挿入された会員カード１６あるいは遊技許可カード１０に記憶保持されている指紋情報と、指紋センサ２５によって読み取られた指紋情報とが照合され、照合が取れた場合にのみ、台間機３は貸し出し動作が可能になる。この後に、紙幣挿入口２２から紙幣が挿入されると、投入金額が遊技代金としてデータベース７に登録される。
【００７５】
一方、出口ゲート１３に配置されているカード回収・精算機４は、指紋センサ４１、カードリーダ４２、精算処理部４３およびカード回収部４４を備えており、遊技許可カード１０が挿入されると指紋認証を行い、データベース７の登録内容に基づき遊技代金の払い戻し処理を行い、挿入された遊技許可カード１０をカード回収部４４に回収すると共に、データベース７に登録されている当該遊技許可カード１０に関する情報を抹消する。
【００７６】
図２は、管理装置６および台間機３の制御系を示す概略ブロック図である。台間機３は、制御ユニット３１、会員カード１６用のカードリーダライタ３２、紙幣識別収納ユニット３３、指紋センサ２５、および通信用の中継器３４を備えている。制御ユニット３１の制御の下で、カードリーダライタ３２による読み取り情報、指紋センサ２５による読み取り指紋画像、紙幣識別収納ユニット３３に投入された金額などが中継器３４および通信回線１４を介して管理装置６の通信用インターフェース６１から当該管理装置６に取り込まれる。また、隣接する遊技台２に対する遊技媒体の貸し出し処理動作が行われる。
【００７７】
管理装置６はコンピュータを中心に構成されている管理サーバ６２を備えている。データベース７には、予め会員登録した遊技者（会員）の会員ＩＤとしての指紋情報７１ａと遊技代金残高７１ｂが対応付けした形態で登録されている。また、会員でない一般遊技者の遊技者ＩＤとしての指紋情報７２ａと遊技代金残高７２ｂが対応付けした形態で登録されている。
【００７８】
管理サーバ６２は、一般遊技者の登録機能６２ａと、会員および一般遊技者を指紋認証によって本人確認を行う遊技者認証機能６２ｂ（本人確認機能）と、データベース７を更新する更新機能６２ｃを備えている。
【００７９】
（処理動作の説明）
次に、図３は本例の遊技管理システム１による各台間機３での処理動作を示す概略フローチャートである。このフローチャートに従って、本例の遊技管理システム１の動作を説明する。
【００８０】
まず、遊技者が会員である場合には会員カード１６を用いて遊技媒体を借り受けてプレイを行うことができる。会員が台間機３のカード挿入口２３から会員ＩＣカード１６を挿入すると（ステップＳＴ１）、カードリーダライタ３２によって会員ＩＤとしての指紋情報７１ａが読み込まれる（ステップＳＴ２１）。
【００８１】
この後は、表示部２１ａに、指載置台２５ａに指先を載せるように、とのメッセージが表示され、指先を載せると指紋センサ２５によって指紋が読み取られる（ステップＳＴ２２）。カードリーダライタ３２によって読み込まれた指紋情報と、指紋センサ２５によって読み取られた指紋情報とが、管理装置６の管理サーバ６２に送られて照合される（ステップＳＴ２３）。照合が取れた場合（本人確認ができた場合）にはプレイが許可される。
【００８２】
この後に、会員が台間機３の入力部２１ｂから金額などの遊技媒体の貸し出し要求を入力すると（ステップＳＴ７）、データベース７に登録されている遊技代金の残高を照合し、残高不足でない場合には遊技媒体の貸し出し処理が行われる（ステップＳＴ８、９）。残高不足の場合には、その旨を表示部２１ａに表示し遊技代金の投入を促し、入金を待つ（ステップＳＴ８→ＳＴ６）。
【００８３】
遊技媒体が貸し出された後に会員は隣接の遊技台２でプレイを行う。遊技台２でのプレイが終了した後に、会員が入力部２１ｂのプレイ終了ボタン（図示せず）を押すと（ステップＳＴ１０）、データベース７の内容を更新して（ステップＳＴ１１）、会員カード１６を排出して（ステップＳＴ１２）処理を終了する。
【００８４】
これに対して、遊技者が会員ではない一般遊技者の場合、すなわち、会員カード１６を所持していない場合には、次のような処理が行われる。一般遊技者は、遊技店に入店する際に、入口ゲート１１の外側に設定されているカード発行機５において遊技許可カード１０を発行してもらう。先に述べたように、所定年齢以上の者のみに遊技許可カード１０が発行される。発行された遊技許可カード１０には一般遊技者の指紋情報が遊技者ＩＤとして記憶保持されている。発行された遊技許可カード１０に記録されている指紋情報７２ａは、管理サーバ６２に送信され、データベース７に登録される。この遊技許可カード１０を入口ゲート１１の制御ユニット１２のカード挿入口１２１に挿入すると入口ゲート１１が開き、遊技店に入ることができる。
【００８５】
次に、台間機３において遊技媒体を借り受ける際には、会員の場合と同様に、遊技許可カード１０をカード挿入口２３から挿入し（ステップＳＴ２）、そこに記憶されている指紋情報７２ａを読み込む（ステップＳＴ３）。また、指先を指載置台２５ａに載せて指紋を読み取らせる（ステップＳＴ４）。読み込まれた双方の指紋情報が管理サーバ６２に送信され、ここにおいて、双方が照合され、照合が取れた場合にはプレイを許可する（ステップＳＴ５）。ここで、照合は、データベース７に登録されている指紋情報に対しても行われ、当該遊技店のカード発行機５によって発行された正規の遊技許可カードであるか否かも確認される。照合が取れない場合には、プレイ不可である旨の表示を表示部２１ａに表示して（ステップＳＴ３１）、遊技許可カード１０を返却する（ステップＳＴ１２）。
【００８６】
プレイが許可の場合には、表示部２１ａに遊技代金の入金を促す表示が行われ、紙幣挿入口２２から紙幣が挿入されると（ステップＳＴ６）、挿入された紙幣に対応する金額を遊技代金の残高として、遊技者ＩＤ、パスワードに対応付けして、データベース７に登録する。
【００８７】
この後は、上記の会員の場合と同様にして遊技媒体の貸し出し処理が行われる（ステップＳＴ７、８、９）。入力部２１ｂに配列されているプレイ終了ボタン（図示せず）を押してプレイを終了すると、データベース７の内容が更新され、遊技許可カード１０が返却されて（ステップＳＴ１１、１２）、処理が終了する。
【００８８】
次に、一般遊技者（非会員）が遊技店を出る際には、カード回収・精算機４において、カード回収口４０に遊技許可カード１０を挿入する。この後は、指先を指載置台に載せるようにとのメッセージが表示され、指先を載せると指紋が読み取られる。指紋センサ４１およびカードリーダ４２で読み取られた双方の指紋情報を照合し、照合が取れた場合には、データベース７の登録内容に基づき遊技代金の払い戻し処理を行う。残金が精算された後は、データベース７から当該遊技者の指紋情報が削除される。
【００８９】
なお、挿入されたカードが、会員カード１６、遊技許可カード１０のいずれでも無い場合には、プレイが不可である旨を表示した後にカードを返却して（ステップＳＴ１→ＳＴ２→ＳＴ４１→ＳＴ１２）、処理を終了する。
【００９０】
以上説明したように、本例の遊技管理システム１では、会員カード１６の発行時に年齢を確認して所定年齢以上の者に対してのみ会員カード１６を発行している。また、一般遊技者に対しては遊技店の入口において、身分証明書などを提示させて年齢を確認して所定年齢以上の者に対してのみ遊技許可カード１０を発行している。また、遊技に際しては、会員カード１６あるいは遊技許可カード１０から読み取った指紋情報と、遊技者から指紋センサ２５を介して読み取った指紋情報とを照合して、本人確認を行い、確認が取れた場合のみプレイを許可している。
【００９１】
したがって、会員カード１６、遊技許可カード１０が所定年齢未満の者には発行されず、プレイに際しては本人以外の者、例えば所定年齢未満の者がプレイすることが禁止される。さらには、遊技店の入場時に所定年齢未満の者の入場も禁止される。よって、本例の遊技管理システム１によれば、遊技店において所定年齢未満の者がプレイすることを確実に防止できる。
【００９２】
なお、本例では、台間機３（遊技媒体貸出機）における遊技媒体の貸し出しを制限しているが、これと共に、あるいは、この代わりに、遊技台２を本人確認によって動作可能に切り替えるようにすることも可能である。また、本人確認の機能を管理装置６に持たせてあるが、各台間機３の制御ユニットに持たせることも可能である。
【００９３】
また、会員カード、遊技許可カードとしては、ＩＣカード、磁気カード、光学的に情報を記憶可能な光カードなどを用いることができるが、これ以外の形状の記憶媒体、例えばコイン状の記憶媒体を用いることも可能である。本明細書では、一般的な「カード」という用語を用いているが、これは本発明の理解を容易にすることのみを目的として使用しており、カード以外の形状の記憶媒体を会員識別用記憶媒体、遊技許可用記憶媒体として用いることを排除することを意図したものではない。
【００９４】
（その他の実施の形態）
本発明は、パチンコ店などの遊技店でのプレイあるいは入場を管理するためのシステムとして用いることができると共に、その他の年齢制限が課されている施設の入場を管理するためにも用いることができる。例えば、アルコール飲料類を提供するバーやスナックなどに未成年者が入店することを制限するためのシステムとして上記の例の場合と同様に適用することができる。
【００９５】
また、販売あるいは貸出が制限されている商品についての販売あるいは貸出を制限するためのシステムとしても適用することができる。例えば、酒屋、ビデオ店などにおける酒類の販売、アダルトビデオの貸出を制限するために本発明を同様に適用することができる。
【００９６】
この場合には、本発明の管理装置を、例えば、酒類の自動販売機、アダルトビデオの自動販売機などに搭載しておけば、年齢条件を満足する成人に対してのみ商品を販売することができる。
【００９７】
さらには、年齢制限が課されている施設への入場および、そのような制限が課されていない施設への入場を管理できるようにするためには、本人確認情報と年齢情報とが担持されたものを用いるシステムを構築すればよい。例えば、ビデオ店においては、未成年者に販売あるいは貸し出すことのできない商品と、そうでない商品とが混在している。このような場合には、年齢制限が課せられている商品の販売あるいは貸出に際しては、許可証に担持されている本人確認情報および年齢情報に基づき、年齢条件を満足する人に対してのみ入場あるいは商品の販売、貸出を行うことができる。また、そのような年齢制限が課せられていない商品の販売あるいは貸出に際しては、本人確認情報に基づき本人確認を行うことにより、許可証が他人によって悪用されるなどの弊害を確実に防止できる。
【００９８】
なお、年齢制限が課せられる施設、場所としては、居酒屋などの飲食店、ホテル内のバー、空港内のバー、新幹線の中、酒類を販売しているコンビニエンスストアー、飛行機内での酒類のサービス、風俗店、アダルトビデオ店等が挙げられる。
【００９９】
また、年齢条件として所定年齢以上が入場、または商品の購入、貸出が許可される場合について説明してきたが、逆に所定年齢以下の人のみの入場が許可される場合、そのような年齢条件の人に対してのみ商品販売、商品貸出が行われる場合にも、本発明を同様に適用可能なことは勿論である。
【図面の簡単な説明】
【０１００】
【図１】本発明を適用した遊技管理システムの全体構成図である。
【図２】図１の遊技管理システムの台間機および管理装置の制御系を示す概略ブロック図である。
【図３】図１の遊技管理システムの動作を示す概略フローチャートである。
【符号の説明】
【０１０１】
１    遊技管理システム
２    遊技台
３    台間機
４    カード回収・精算機
５    カード発行機
６    管理装置
７    データベース
８    遊技島
１０  遊技許可カード
１１  入口ゲート
１２  制御ユニット
１３  出口ゲート
１４  通信回線
１５  島中継器
１６  会員カード
２１  操作面
２１ａ  表示部
２１ｂ  入力部
２２  紙幣挿入口
２３  カード挿入口
２４  状態表示ランプ
２５  指紋センサ
２５ａ  指載置台
３１  制御ユニット
３２  カードリーダライタ
３３  紙幣識別収納ユニット
３４  中継器
４０  カード回収口
４１  指紋センサ
４２  カードリーダ
４３  精算処理部
４４  カード回収部
５１  収納部
５２  指紋センサ
５３  カードリーダ
６１  通信用インターフェース
６２  管理サーバ
６２ａ  登録機能
６２ｂ  遊技者認証機能
６２ｃ  更新機能
７１ａ  指紋情報
７１ｂ  遊技代金残高
７２ａ  指紋情報
７２ｂ  遊技代金残高
１２１  カード挿入口
１２２  カードリーダ
１２３  指紋センサ
１２４  照合部
【図１】
2008161524.tif 000003
【図２】
2008161524.tif 000004
【図３】
2008161524.tif 000005